【手続補正書】
【提出日】平成20年1月21日(2008.1.21)
【手続補正１】
【補正対象書類名】明細書
【補正対象項目名】特許請求の範囲
【補正方法】変更
【補正の内容】
【特許請求の範囲】
【請求項１】
バックライトを有する液晶表示装置であって、前記バックライトは、第１の量の光を出力する第１の状態と第２の量の光を出力する第２の状態とを有し、前記第１の状態の時間と前記第２の状態の時間とが制御されていることを特徴とする液晶表示装置。
【請求項２】
バックライトを有する液晶表示装置であって、前記バックライトは、第１の電圧が印加される第１の状態と第２の電圧が印加される第２の状態とを有し、前記第１の状態の時間と前記第２の状態の時間とが制御されていることを特徴とする液晶表示装置。
【請求項３】
複数の走査線を有する液晶表示パネルと、バックライトを有する液晶表示装置であって、前記バックライトには、第１の電圧と第２の電圧とが所定の周期で印加され、前記所定の周期は、前記複数の走査線を制御する周期と同期していることを特徴とする液晶表示装置。
【請求項４】
液晶表示パネルと、この液晶表示パネルの背面に配置されたバックライトとを備え、
前記バックライトは点灯と消灯が繰り返され、その点灯時間と消灯時間との比を制御する手段を具備することを特徴とする液晶表示装置。
【請求項５】
液晶を介して対向配置される各基板のうち一方の基板の液晶側の面の各画素領域にゲート信号線からのゲート信号の供給により駆動するスイッチング素子と、このスイッチング素子を介してドレイン信号線からのドレイン信号が供給される画素電極を備える液晶表示パネルと、この液晶表示パネルの背面に配置されたバックライトとを備え、
前記バックライトは前記走査信号の供給開始に同期させて点灯と消灯が繰り返され、その点灯時間と消灯時間との比を制御する手段を具備することを特徴とする液晶表示装置。
【請求項６】
前記バックライトの点灯と消灯はデータ書き換えの同期信号と次の同期信号の間の期間に一回ずつなされることを特徴とする請求項３に記載の液晶表示装置。
【請求項７】
液晶表示パネルと、この液晶表示パネルの背面に配置されたバックライトとを有し、
該液晶表示パネルは、一対の基板に介在される液晶の広がり方向に多数の画素の集合からなる液晶表示部を構成し、これら各画素には映像信号が独立に供給される画素電極を備えてなり、
各画素領域の画素電極への映像信号の変化の大小を液晶表示部全体として検出する検出手段と、
この検出手段によって映像信号の変化が大きい場合に前記バックライトの点灯と消灯を繰り返させるバックライト点滅手段とを具備することを特徴とする液晶表示装置。
【請求項８】
前記検出手段によって映像信号の変化が大きい場合にその大きさの程度に応じて点灯時間のデューティを小さくするバックライト点滅制御手段を具備することを特徴とする請求項７に記載の液晶表示装置。
【請求項９】
前記バックライト点滅制御手段は、点灯時間のデューティが小さい場合に前記バックライトに供給する電流を大きくする手段を備えることを特徴とする請求項８に記載の液晶表示装置。
【請求項１０】
液晶表示パネルと、この液晶表示パネルの背面に配置されたバックライトとを有し、
該液晶表示パネルは、一対の基板に介在される液晶の広がり方向に多数の画素の集合からなる液晶表示部を構成し、これら各画素には映像信号が独立に供給される画素電極を備えてなり、
各画素領域の画素電極への映像信号の変化の大小を液晶表示部の一部の領域として検出する検出手段と、
この検出手段によって映像信号の変化が大きい場合に前記バックライトの点灯と消灯を繰り返させるバックライト点滅手段とを具備することを特徴とする液晶表示装置。
【請求項１１】
液晶表示パネルの一方の基板の液晶側の面にｘ方向に延在しｙ方向に並設されるゲート信号線とｙ方向に延在しｘ方向に並設されるドレイン信号線で囲まれる各領域を画素領域とし、これら各画素領域に、片側のゲート信号線からの走査信号によって駆動されるスイッチング素子と、このスイッチング素子を介してドレイン信号線からの映像信号が供給される画素電極を備え、
前記液晶表示部の一部の領域は、互いに隣接して配置される一部のゲート信号線によって駆動される画素電極を備える各画素領域の集合領域とすることを特徴とする請求項１０に記載の液晶表示装置。
【請求項１２】
前記液晶表示部の一部の領域は液晶表示部のほぼ中央を走行する各ゲート信号線によって駆動される画素電極を備える各画素領域の集合領域とすることを特徴とする請求項１１に記載の液晶表示装置。
【請求項１３】
前記液晶表示部の一部の領域は液晶表示部のほぼ中央を除く少なくとも一方の側を走行する各ゲート信号線によって駆動される画素電極を備える各画素領域の集合領域とすることを特徴とする請求項１１に記載の液晶表示装置。
【請求項１４】
前記検出手段によって映像信号の変化が大きい場合にその大きさの程度に応じて点灯時間のデューティを小さくするバックライト点滅制御手段を具備することを特徴とする請求項１０に記載の液晶表示装置。
【請求項１５】
前記バックライト点滅制御手段は、点灯時間のデューティが小さい場合に前記バックライトに供給する電流を大きくする手段を備えることを特徴とする請求項１４に記載の液晶表示装置。
【請求項１６】
液晶表示パネルと、この液晶表示パネルの背面に配置されたバックライトとを有し、
該液晶表示パネルは、一対の基板に介在される液晶の広がり方向に多数の画素の集合からなる液晶表示部を構成し、これら各画素には映像信号が独立に供給される画素電極と、この画素電極と該映像信号に対応する電界を発生せしめる対向電極とを備え、
前記電界により液晶の光透過率が大きくなる場合に該映像信号が大きいとした場合に、
液晶表示部全体の平均として各画素領域の画素電極への映像信号の大小を検出する検出手段と、
この検出手段によって映像信号が大きい場合に前記バックライトの点灯と消灯を繰り返させるバックライト点滅手段とを具備することを特徴とする液晶表示装置。
【請求項１７】
前記検出手段によって映像信号が大きい場合にその大きさの程度に応じて点灯時間のデューティを大きくするバックライト点滅制御手段を具備することを特徴とする請求項１６に記載の液晶表示装置。
【請求項１８】
映像信号が供給される各画素群がゲート信号線に供給される走査信号によって選択される液晶表示パネルと、この液晶表示パネルの背面に配置されるバックライトとを有し、
前記バックライトは、液晶表示パネルの面とほぼ平行な面にて、前記ゲート信号線に平行に延在されそれに交差する方向に並設された複数の線状の光源を備えてなり、
中央部に配置される光源およびその両脇のうち少なくとも一方に配置される光源のうち少なくとも一方は消灯に対する点灯のデューティを制御できるように構成されていることを特徴とする液晶表示装置。
【請求項１９】
液晶表示パネルとバックライトを有し、該バックライトは点灯と消灯を繰り返し可能な構成であり、
動画と静止画で表示モードを切り替え可能な構成を有し、動画表示モードでバックライトの点灯と消灯を行う液晶表示装置であって、
動画表示時の画面書き換え周波数を静止画表示時より高くすることを特徴とする液晶表示装置。
【請求項２０】
動画と静止画を切り替えて表示するモードを有し、前記動画モードの場合に前記バックライトの点灯と消灯の繰り返しを行うことを特徴とする請求項１９に記載の液晶表示装置。
【請求項２１】
複数の走査線を有する液晶表示パネルと、バックライトを有する液晶表示装置であって、
前記バックライトは、前記複数の走査線を制御する周期内に、時間経過とともに異なる複数の光量を液晶表示パネル側に照射するように構成されていることを特徴とする液晶表示装置。
【請求項２２】
複数の光量は第１の光量、第２の光量、および第３の光量からなり、これら各光量のうち少なくともいずれか一つの光量の時間の長さが制御できるように構成されていることを特徴とする請求項２１記載の液晶表示装置。
【請求項２３】
複数の走査線を有する液晶表示パネルと、バックライトを有する液晶表示装置であって、
前記バックライトは、前記複数の走査線を制御する周期内に、時間経過とともに異なる複数の光量を液晶表示パネル側に照射するように構成され、
複数の画面走査のうち１回の画面走査にあってその画面が黒表示となるように走査されるように構成されていることを特徴とする液晶表示装置。
【請求項２４】
複数の走査線を有する液晶表示パネルと、この液晶表示パネルと平行な仮想の面内に前記走査線の延在方向に配置され該方向と交差する方向に延在された複数の光源を備えるバックライトとを備え、
複数の画面走査のうち１回の画面走査にあってその画面が黒表示となるように走査され、
この走査の期間内に、前記各光源のうち少なくとも一つがその光量を変化する周期が繰り返されるように構成されていることを特徴とする液晶表示装置。
【請求項２５】
複数の走査線を有する液晶表示パネルと、この液晶表示パネルと平行な仮想の面内に前記走査線の延在方向に配置され該方向と交差する方向に延在された複数の光源を備えるバックライトとを備え、
複数の画面走査のうち１回の画面走査にあってその画面が黒表示となるように走査され、
この走査の期間内に、前記各光源がその光量を変化する周期が繰り返され、少なくともその一つの光源の光量が最小となるように構成されていることを特徴とする液晶表示装置。
【請求項２６】
前記光源は、画面走査の周期において、その光量の変化開始時期の遅延が生じていることを特徴とする請求項２４に記載の液晶表示装置。
【請求項２７】
前記光源は、画面走査の周期において、その光量の変化開始時期がほぼ均等であることを特徴とする請求項２４に記載の液晶表示装置。